(57)【要約】【課題】画像表示内容を記憶して再度読み出すことを容易に実行可能な画像表示装置を得る。【解決手段】入力画像信号に基づき出力画像信号を生成する画像信号処理部１４１と、出力画像信号に基づき画像を表示する表示部１６０と、画像信号処理部１４１の動作を制御する制御部１２０と、画像データを格納する記憶部１５０と、画像信号を当該画像表示装置の外部に出力する画像信号出力部１７０と、を備え、制御部１２０は、操作信号処理部１１２より表示部が表示している画像の内容を保存すべき旨の操作信号を受け取ると、出力画像信号の内容に対応した画像データを記憶部１５０に格納し、記憶部１５０が格納している画像データを出力すべき旨の操作信号を受け取ると、記憶部１５０が格納している画像データを取得してその内容に対応した画像信号を画像信号出力部１７０より出力する。【選択図】図１
2009251262.tif 000002
【特許請求の範囲】
【請求項１】
入力画像信号に対応した画像を表示する画像表示装置であって、
入力画像信号を受け取る画像信号入力部と、
前記入力画像信号に基づき出力画像信号を生成する画像信号処理部と、
前記出力画像信号に基づき画像を表示する表示部と、
前記画像信号処理部の動作を制御する制御部と、
画像データを格納する記憶部と、
画像信号を当該画像表示装置の外部に出力する画像信号出力部と、
操作内容に対応した操作信号を前記制御部に出力する操作信号処理部と、
を備え、
前記制御部は、
前記操作信号処理部より前記表示部が表示している画像の内容を保存すべき旨の操作信号を受け取ると、前記出力画像信号の内容に対応した画像データを前記記憶部に格納し、
前記記憶部が格納している画像データを出力すべき旨の操作信号を受け取ると、前記記憶部が格納している画像データを取得してその内容に対応した画像信号を前記画像信号出力部より出力する
ことを特徴とする画像表示装置。
【請求項２】
前記制御部は、
前記入力画像信号または前記出力画像信号が所定時間変化しないときは、
前記出力画像信号の内容に対応した画像データを前記記憶部に格納する
ことを特徴とする請求項１記載の画像表示装置。
【請求項３】
前記画像信号入力部を複数備え、
前記制御部は、
使用する前記画像信号入力部を切り替えるべき旨の操作信号を前記操作信号処理部より受け取ると、
前記出力画像信号の内容に対応した画像データを前記記憶部に格納するとともに、
複数の前記画像信号入力部のうち１つを選択してその画像信号入力部が受け取る画像信号を前記画像信号処理部に出力させる
ことを特徴とする請求項１または請求項２記載の画像表示装置。
【請求項４】
前記表示部が表示する画像の内容に対応した画像データを保存する第２記憶部を備え、
前記制御部は、
前記画像信号入力部への入力画像信号の供給が途切れると、
前記第２記憶部が保存している画像データを取得して前記記憶部に格納する
ことを特徴とする請求項１ないし請求項３のいずれかに記載の画像表示装置。
【請求項５】
前記表示部として、
前記出力画像信号に基づき画像を投射する投射部を備えた
ことを特徴とする請求項１ないし請求項４のいずれかに記載の画像表示装置。
【請求項６】
請求項１ないし請求項５のいずれかに記載の画像表示装置を複数備え、
前記画像信号出力部と、他の画像表示装置が備える前記画像信号入力部とを接続し、
各画像表示装置が当該画像表示装置への入力画像信号に対応した画像を表示する
ことを特徴とする画像表示システム。
【請求項７】
入力画像信号に基づき出力画像信号を生成する画像信号処理部と、
前記出力画像信号に基づき画像を表示する表示部と、
画像データを格納する記憶部と、
画像信号を当該画像表示装置の外部に出力する画像信号出力部と、
を備えた画像表示装置を制御する方法であって、
前記表示部が表示している画像の内容を保存すべき旨の操作信号を受け取るステップと、
前記出力画像信号の内容に対応した画像データを前記記憶部に格納するステップと、
前記記憶部が格納している画像データを出力すべき旨の操作信号を受け取るステップと、
前記記憶部が格納している画像データを取得してその内容に対応した画像信号を前記画像信号出力部より出力するステップと、
を有することを特徴とする画像表示装置の制御方法。
【発明の詳細な説明】
【技術分野】
【０００１】
本発明は、入力画像信号に対応した画像を表示する画像表示装置とその制御方法、および上記画像表示装置を複数備える画像表示システムに関するものである。
【背景技術】
【０００２】
従来、画像表示システムに関し、特許文献１に、「プレゼンテーションのシナリオ変更などを容易に行うことができる融通性のある画像表示システムを提供する」ことを目的とした技術として「画像表示装置は、順番が予め定められた画面からなる画像データを格納するメモリカードを装着するカードインタフェースを有し、画像データをアナログＲＧＢ信号に変換して液晶プロジェクタへ送出する。この画像表示装置はコンピュータにデジタルインタフェースを介して接続され、コンピュータから制御データ及び画像データを受信し、メモリカードからの画像データの読み出しや受信した画像データのアナログＲＧＢ信号への変換を実行する。」というものが提案されている（要約）。
【０００３】
また、画像表示システムに関し、特許文献２に、「プロジェクタ等の画像表示装置を用いたプレゼンテーションを行う場合において、聴講者の質問等を受ける発表者は質問等を聞きながらその質問に関係する画像を探して表示させなければならない」ことを課題とした技術として、「パーソナルコンピュータ等の外部機器１３から供給された画像を表示する画像表示装置１に、外部機器から供給される複数の画像を順次表示している間に、それぞれ固有の識別情報の送信が可能な複数の識別情報送信器１０のいずれかから識別情報を受信することに応じて、この識別情報とこの識別情報を受信したときに表示されていた画像に対する画像特定情報とを相互に関連付けて記憶手段６に記憶させておき、この記憶手段に記憶された画像特定情報により特定される画像を外部機器に再び供給させて、この画像特定情報に関連付けられて記憶された識別情報とともに再表示させる制御手段５を設ける。」というものが提案されている（要約）。
【０００４】
【特許文献１】特開平１０−３３３８７０号公報
【特許文献２】特開２００２−３５１４３４号公報
【発明の開示】
【発明が解決しようとする課題】
【０００５】
上記特許文献１に記載の技術では、メモリカードから画像データを読み出して液晶プロジェクタへ送出することが可能であるが、あらかじめメモリカードに画像データを格納させておく必要があり、そのための手間を要する。
【０００６】
上記特許文献２に記載の技術では、質問を行う聴講者毎に識別情報送信器１０が必要になり、コストが増加しやすい。
また、識別情報により個々の画像を特定することが可能な画像表示内容、例えばページ番号で個々のスライドを識別するプレゼンテーションのようなものでなければ、識別情報送信器１０を用いて個々の画像を特定することができない。
【０００７】
本発明は、上記のような課題を解決するためになされたものであり、画像表示内容を記憶して再度読み出すことを容易に実行可能な画像表示装置を得ることを目的とする。
【課題を解決するための手段】
【０００８】
本発明に係る画像表示装置は、入力画像信号に対応した画像を表示する画像表示装置であって、入力画像信号を受け取る画像信号入力部と、前記入力画像信号に基づき出力画像信号を生成する画像信号処理部と、前記出力画像信号に基づき画像を表示する表示部と、前記画像信号処理部の動作を制御する制御部と、画像データを格納する記憶部と、画像信号を当該画像表示装置の外部に出力する画像信号出力部と、操作内容に対応した操作信号を前記制御部に出力する操作信号処理部と、を備え、前記制御部は、前記操作信号処理部より前記表示部が表示している画像の内容を保存すべき旨の操作信号を受け取ると、前記出力画像信号の内容に対応した画像データを前記記憶部に格納し、前記記憶部が格納している画像データを出力すべき旨の操作信号を受け取ると、前記記憶部が格納している画像データを取得してその内容に対応した画像信号を前記画像信号出力部より出力する。
そのため、画像信号出力部より出力する画像データをあらかじめ準備しておく必要がなく、ユーザの操作性の観点から好ましい。
【０００９】
また、本発明に係る画像表示装置において、前記制御部は、前記入力画像信号または前記出力画像信号が所定時間変化しないときは、前記出力画像信号の内容に対応した画像データを前記記憶部に格納する。
そのため、継続的に表示され重要度が高いと思われる画像が自動的に記憶部に格納されるので、ユーザの操作手順が簡略化される。
【００１０】
また、本発明に係る画像表示装置は、前記画像信号入力部を複数備え、前記制御部は、使用する前記画像信号入力部を切り替えるべき旨の操作信号を前記操作信号処理部より受け取ると、前記出力画像信号の内容に対応した画像データを前記記憶部に格納するとともに、複数の前記画像信号入力部のうち１つを選択してその画像信号入力部が受け取る画像信号を前記画像信号処理部に出力させる。
そのため、入力切替前に表示されていた画像が自動的に記憶部に格納されるので、ユーザの操作手順が簡略化される。
【００１１】
また、本発明に係る画像表示装置は、前記表示部が表示する画像の内容に対応した画像データを保存する第２記憶部を備え、前記制御部は、前記画像信号入力部への入力画像信号の供給が途切れると、前記第２記憶部が保存している画像データを取得して前記記憶部に格納する。
そのため、入力画像信号が途切れる直前に表示されていた画像が自動的に記憶部に格納されるので、ユーザがこれを容易に確認することができる。
【００１２】
また、本発明に係る画像表示装置は、前記表示部として、前記出力画像信号に基づき画像を投射する投射部を備えた。
そのため、本発明に係る画像表示装置を、上記と同様の機能を備えたプロジェクタとして使用することができる。
【００１３】
また、本発明に係る画像表示システムは、上記のいずれかに記載の画像表示装置を複数備え、前記画像信号出力部と、他の画像表示装置が備える前記画像信号入力部とを接続し、各画像表示装置が当該画像表示装置への入力画像信号に対応した画像を表示する。
そのため、画像信号出力部が出力する出力画像信号を他の画像表示装置で表示する画像表示システムを構築することができる。
【００１４】
また、本発明に係る画像表示装置の制御方法は、入力画像信号に基づき出力画像信号を生成する画像信号処理部と、前記出力画像信号に基づき画像を表示する表示部と、画像データを格納する記憶部と、画像信号を当該画像表示装置の外部に出力する画像信号出力部と、を備えた画像表示装置を制御する方法であって、前記表示部が表示している画像の内容を保存すべき旨の操作信号を受け取るステップと、前記出力画像信号の内容に対応した画像データを前記記憶部に格納するステップと、前記記憶部が格納している画像データを出力すべき旨の操作信号を受け取るステップと、前記記憶部が格納している画像データを取得してその内容に対応した画像信号を前記画像信号出力部より出力するステップと、を有する。
そのため、画像信号出力部より出力する画像データをあらかじめ準備しておく必要がないように、画像表示装置を制御することができる。これにより、上記と同様の効果を発揮することができる。
【発明を実施するための最良の形態】
【００１５】
実施の形態１．
図１は、本発明の実施の形態１に係る画像表示装置１００の機能ブロック図である。
画像表示装置１００は、入力画像信号に対応した画像を表示する装置であり、操作パネル１１１、操作信号処理部１１２、制御部１２０、画像信号入力部１３０、画像信号処理部１４１、フレームメモリ１４２、記憶部１５０、表示部１６０、画像信号出力部１７０を備える。
【００１６】
操作パネル１１１は、画像表示装置１００の本体筐体の外面に設けられ、ユーザの操作情報を受け付けるためのものであり、後述の図４で説明する画面保存キーと画面出力キーを備えている。
ユーザが操作パネル１１１に配置されたキーを押下等すると、それに対応した操作信号が操作信号処理部１１２に出力される。
操作信号処理部１１２は、操作パネル１１１が出力した操作信号を受け取り、デジタル信号に変換するなどの処理を施して、制御部１２０に出力する。
【００１７】
制御部１２０は、画像信号処理部１４１の動作を制御する。
また、記憶部１５０に後述の画像データを格納し、または記憶部１５０が格納しているその画像データを読み取り、その画像データに対応する画像信号を画像信号出力部１７０より画像表示装置１００の外部へ出力させる。
制御部１２０は、その機能を実現する回路デバイスのようなハードウェアで構成することもできるし、マイコンやＣＰＵ（Ｃｅｎｔｒａｌ  Ｐｒｏｃｅｓｓｉｎｇ  Ｕｎｉｔ）のような演算装置とその動作を規定する制御プログラムで構成することもできる。
【００１８】
画像信号入力部１３０は、コンピュータ等の外部機器から出力された入力画像信号を受け取り、アナログ画像信号であればデジタル画像信号に変換するなどの処理を施して、画像信号処理部１４１に出力する。
入力インターフェースの形式は任意のものでよいが、例えば画像入力端子を用いる、データ通信手段により画像データを送受信する、などの手法を採用することが考えられる。
【００１９】
画像信号処理部１４１は、画像信号入力部１３０からの入力画像信号に対応した画像データを１フレーム（１画面）毎にフレームメモリ１４２に記憶させるとともに、フレームメモリ１４２に記憶された画像データを読み出す機能を有し、入力画像信号と制御部１２０の指示に基づいてデジタルの出力画像信号を生成して表示部１６０に出力する。
画像信号処理部１４１は、マイクロプロセッサ等により構成され、内蔵したプログラムを実行することにより、上記の処理を行う。
【００２０】
記憶部１５０は、後述する画像データを格納する。画像データの形式は、制御部１２０が解釈できるものであれば、任意のものでよい。例えば、ＪＰＥＧやＢＭＰのような標準的な画像形式であれば、処理の上で便宜である。
記憶部１５０は、ＨＤＤ（Ｈａｒｄ  Ｄｉｓｋ  Ｄｒｉｖｅ）やフラッシュＲＯＭ（Ｒｅａｄ  Ｏｎｌｙ  Ｍｅｍｏｒｙ）のような書き込み可能な記憶装置で構成することができる。
【００２１】
表示部１６０は、例えば液晶ディスプレイ装置などで構成され、画像信号処理部１４１より出力画像信号を受け取り、その画像を画面表示するものである。
画像信号出力部１７０は、画像信号処理部１４１より出力画像信号を受け取り、その出力画像信号を画像表示装置１００の外部に出力する。
画像信号出力部１７０の出力インターフェースの形式は、画像信号入力部１３０と同様に任意のものでよい。ただし、後述の図３で説明するように複数の画像表示装置１００を直列接続することを考えると、画像信号入力部１３０と同じ形式のインターフェースを用いることが便宜であろう。
【００２２】
図２は、画像表示装置１００の外観図である。
表示部１６０の下部には、表示部１６０を支持する台座が備えられており、この台座の内部または表面に操作パネル１１１〜画像信号出力部１７０が備えられている。
【００２３】
図３は、本実施の形態１に係る画像表示システムの構成例を示す図である。
図３において、画像表示装置１００ａ〜１００ｂは、図１〜図２で説明した構成を備えている。以下、画像表示装置１００ａと１００ｂが備える各構成部は、それぞれ添字ａとｂを用いて区別する。
また、画像信号入力部１３０と画像信号出力部１７０は、それぞれ以下のように接続されている。接続方式は、画像信号入力部１３０と画像信号出力部１７０の入出力インターフェースに合わせる。
【００２４】
（１）画像表示装置１００ａが備える画像信号入力部１３０ａは、コンピュータ２００が出力する入力画像信号を受け取る。
（２）画像表示装置１００ａが備える画像信号出力部１７０ａは、出力画像信号を出力する。
（３）画像表示装置１００ｂが備える画像信号入力部１３０ｂは、画像信号出力部１７０ａが出力する出力画像信号を、入力画像信号として受け取る。
（４）画像表示装置１００ｂが備える画像信号出力部１７０ｂは、画像信号入力部１３０ｂが受け取った入力画像信号に対応する画像を表示部１６０ｂで表示するとともに、そのまま出力画像信号として出力する。
【００２５】
図３に示すように、画像表示装置１００の画像信号出力部１７０と、他の画像信号装置１００の画像信号入力部１３０とを直列接続することで、同一の画像を複数の表示部１６０で表示する画像表示システムを構築することができる。
画像表示装置１００の接続段数に制限はないが、以下の説明では、説明の簡易の観点から２つの画像表示装置１００を直列接続した構成を用いる。
【００２６】
以上、画像表示装置１００および画像表示システムの構成を説明した。
次に、図３の構成の下でプレゼンテーションを行うシーンを想定し、各画像表示装置１００の動作を説明する。
【００２７】
図４は、図３で説明した画像表示システムを用いてプレゼンテーションを行う際に各画像表示装置１００が表示する画面の流れを示す図である。
以下、プレゼンテーションが図４のステップ（１）〜（７）へと進行するにしたがって各画像表示装置１００が行う動作を説明する。
【００２８】
（１）発表者は、画像表示装置１００ａ〜１００ｂ、およびコンピュータ２００を、図３で説明したように接続する。次に発表者は、コンピュータ２００を操作して、プレゼンテーションの内容を表す入力画像信号を、画像表示装置１００ａの画像信号入力部１３０ａへ出力する。
画像表示装置１００ａの画像信号処理部１４１ａは、コンピュータ２００が出力した入力画像信号を画像信号入力部１３０ａより受け取って出力画像信号を生成し、表示部１６０ａを介して画面表示を行う。また、その出力画像信号を、画像信号出力部１７０ａを介して画像表示装置１００ｂに出力する。
画像表示装置１００ｂの画像信号入力部１３０ｂは、画像信号出力部１７０ａが出力した出力画像信号を入力画像信号として受け取る。以下、画像表示装置１００ａと同様の処理手順により、表示部１６０ｂは表示部１６０ａと同一の画面を表示する。
【００２９】
（２）発表者は、各画像表示装置１００がステップ（１）のような表示を行っている状態で、画像表示装置１００ａの操作パネル１１１ａが備える画面保存キーを押下する。操作信号処理部１１２ａは、その旨の操作信号を制御部１２０ａに出力する。
制御部１２０ａは、フレームメモリ１４２ａより、最新の出力画像信号に対応した画像データを取得し、記憶部１５０ａに格納する。これにより、その時点で表示部１６０ａが表示している画像の内容が、記憶部１５０ａに格納されたことになる。
【００３０】
（３）発表者は、コンピュータ２００を操作してスライドを切り替えるなどして、プレゼンテーションを進行する。進行に伴い、各画像表示装置１００ａ、１００ｂはステップ（１）と同様の処理を実行し、表示部１６０ａ、１６０ｂが表示する画像の内容が変化する。
【００３１】
（４）発表者は、画像表示装置１００ａの操作パネル１１１ａが備える画面出力キーを押下する。操作信号処理部１１２ａは、その旨の操作信号を制御部１２０ａに出力する。
制御部１２０ａは、記憶部１５０ａより、ステップ（２）で格納した画像データを読み出し、画像信号処理部１４１ａを介して画像信号出力部１７０ａより出力させる。制御部１２０ａより直接画像信号出力部１７０ａに画像データを出力してもよい。
【００３２】
（５）発表者は、コンピュータ２００を操作してスライドを切り替えるなどして、プレゼンテーションを進行する。進行に伴い、画像表示装置１００ａはステップ（１）と同様の処理を実行し、表示部１６０ａが表示する画像の内容が変化する。
ただし、画像信号処理部１４１ａは、画像信号出力部１７０ａより、出力画像信号に代えて記憶部１５０ａが格納している画像データを出力するので、画像表示装置１００ｂの表示部１６０ｂが表示する画像は、画像表示装置１００ａが表示している画像とは異なり、記憶部１５０ａが格納している画像データの内容となっている。
【００３３】
（６）発表者は、画像表示装置１００ａの操作パネル１１１ａが備える画面出力キーを押下する。操作信号処理部１１２ａは、その旨の操作信号を制御部１２０ａに出力する。
制御部１２０ａは、記憶部１５０ａより読み出した画像データを画像信号出力部１７０ａより出力させる動作を解除する。
【００３４】
（７）発表者は、コンピュータ２００を操作してスライドを切り替えるなどして、プレゼンテーションを進行する。進行に伴い、各画像表示装置１００ａ、１００ｂはステップ（１）と同様の処理を実行し、表示部１６０ａ、１６０ｂが表示する画像の内容が変化する。
【００３５】
以上、図３で説明した画像表示システムを用いてプレゼンテーションを行う際に各画像表示装置１００が表示する画面の流れを説明した。
図３の流れによれば、発表者は画面保存キーと画面出力キーの操作のみで画像表示装置１００ｂの表示内容を制御し、プレゼンテーションを円滑に進行することができる。
【００３６】
以上のように、本実施の形態１に係る画像表示装置１００では、画面保存キーの押下という簡易な操作で表示部１６０の表示内容を記憶部１５０に保存し、さらに画面出力キーの押下という簡易な操作でこれを読み出して画像信号出力部１７０より画像表示装置１００の外部へ出力することができる。
これにより、あらかじめ画像信号出力部１７０より出力する画像データを準備しておく必要がなく、重要と思われる画像が表示部１６０に表示されている時点で画面保存キーを押下すれば足りるので、ユーザの操作性の観点から好ましい。
【００３７】
また、本実施の形態１に係る画像表示システムでは、画像表示装置１００ａの画像信号出力部１７０ａと画像表示装置１００ｂの画像信号入力部１３０ｂを直列接続している。
これにより、聴講者が関心を持つであろうと思われる重要な画像を表示している際に、その内容を画面保存キー押下により保存しておき、画像表示装置１００ｂで容易に再表示させることができるので、後の質問受付時などに発表者が当該画像を容易に聴講者へ提示することができ、発表者と聴講者の双方にとって便宜である。
【００３８】
実施の形態２．
実施の形態１では、操作パネル１１１が備える画面保存キーを押下して、その時点で表示部１６０が表示している画像を記憶部１５０に画像データとして格納する構成と動作を説明した。
本発明の実施の形態２では、その他のイベントを契機として、表示部１６０が表示している画像を記憶部１５０に画像データとして格納する構成と動作を説明する。
【００３９】
なお、特許請求の範囲における「第２記憶部」は、本実施の形態２ではフレームメモリ１４２がこれに相当する。
【００４０】
図５は、本実施の形態２に係る画像表示装置１００の機能ブロック図である。
本実施の形態２に係る画像表示装置１００は、実施の形態１の図１で説明した構成に加え、新たに入力切替部１８０を備える。また、３つの画像信号入力部１３１〜１３３を備える。その他の構成は実施の形態１と概ね同様であるため、差異点を中心に説明する。
【００４１】
画像信号入力部１３１〜１３３は、それぞれが入力画像信号を受け取って入力切替部１８０に出力する機能を備える。入力インターフェースは、画像信号入力部１３１〜１３３全てが同一であってもよいし、全てが異なっていてもよい。
入力切替部１８０は、制御部１２０の指示に基づき、画像信号入力部１３１〜１３３のいずれか１つを選択し、その画像信号入力部が受け取った画像信号を、画像信号処理部１４１に出力する。
操作パネル１１１は、入力切替部１８０に切替動作を行わせるべき旨の操作入力を行う操作手段、例えば入力切替キーなどを備えている。同操作手段が操作されると、操作信号処理部１１２を介してその旨の操作信号が制御部１２０に出力され、制御部１２０はその操作信号にしたがって入力切替部１８０の切替動作を実行する。
【００４２】
以上、本実施の形態２に係る画像表示装置１００の構成を説明した。次に、本実施の形態２に係る画像表示装置１００の動作を説明する。
本実施の形態２に係る画像表示装置１００は、ユーザが画面保存キーを押下した際の他に、以下の（１）〜（３）で説明するイベントを契機として、その時点で表示部１６０が表示している画像を記憶部１５０に画像データとして格納する。
【００４３】
（１）同一の画像が所定時間継続したとき
フレームメモリ１４２には、数画面分の記憶領域がある。画像信号処理部１４１は、フレームメモリ１４２が格納している画像データを監視し、連続した画面を比較することにより、画像に変化がないことを検出してその結果を制御部１２０に出力する。
制御部１２０は、フレームメモリ１４２内に同一の画像データが所定時間継続して格納されているときは、その画像データを取得して記憶部１５０に格納する。
同一の画像データがフレームメモリ１４２内に継続的に格納されているということは、その画像データの内容が継続的に表示部１６０で表示されているということであり、そのように継続して表示される画像は、聴講者の注目度が高く重要な画像であると推測することができる。
そこで、上述のような監視結果を得たときは、その画像データを記憶部１５０に格納しておき、後に容易に読み出して表示部１６０で表示させることができるようにした。
なお、フレームメモリ１４２内の画像が変化していないとは、入力画像信号または出力画像信号が変化していないということであるが、いずれを基準として変化の有無を判定するかは、適宜定めればよい。
【００４４】
（２）入力切替が行われたとき
制御部１２０は、入力切替部１８０に切替動作を行わせる際に、その直前にフレームメモリ１４２が格納している画像データを取得して記憶部１５０に格納する。
入力切替が行われると、それ以前に表示部１６０が表示していた画像を見ることができなくなるため、入力切替直前にどのような画像が表示されていたかを確認するためには、再度入力切替を行って切替前の状態に戻さなければならない。
そこで、この操作を簡易化するため、入力切替部１８０が入力切替を行う際には、制御部１２０はフレームメモリ１２０より画像データを取得して記憶部１５０に格納しておき、切替直前に表示部１６０が表示していた画像を容易に読み出して再表示することができるようにした。
【００４５】
（３）入力画像信号が検出できなくなったとき
画像信号処理部１４１は、画像信号入力部１３１〜１３３から供給される入力画像信号が検出できなくなったとき、その旨を制御部１２０に通知する。
制御部１２０は、その時点でフレームメモリ１４２の数画面分の記憶領域の中から最も新しい有効な画像データを取得し、記憶部１５０に格納する。
入力画像信号が検出できなくなると、それ以前に表示部１６０が表示していた画像を見ることができなくなる。
そこで、入力画像信号が検出できなくなると、制御部１２０はフレームメモリ１２０より画像データを取得して記憶部１５０に格納しておき、直前に表示部１６０が表示していた画像を容易に読み出して再表示することができるようにした。
【００４６】
以上、表示部１６０が表示している画像を記憶部１５０に画像データとして格納する契機となるイベント（１）〜（３）について説明した。
記憶部１５０が格納する上述の画像データが１つのみであるとすると、これらのイベント（１）〜（３）、および画面保存キーの押下イベントをどの順序で検出するかにより、格納される画像データの内容が異なる。
即ち、最後に検出したイベントの時点で表示部１６０が表示している画像が最終的に記憶部１５０に格納されるので、最も優先すべきイベントを最後に検出するとよい。
【００４７】
図６は、本実施の形態２に係る画像表示装置１００の動作フローである。ここでは、画面保存キー押下イベントの検出を最後に行う例を示すが、上述のイベント検出の順序はこれに限られるものではない。以下、図６の各ステップについて説明する。
【００４８】
（Ｓ６０１）
ユーザは、画像表示装置１００の電源をＯＮする。
（Ｓ６０２）
制御部１２０は、内蔵するクロック機能等を用いたタイマーを起動する。
（Ｓ６０３）
制御部１２０は、操作信号処理部１１２から出力される操作信号に基づき、画面出力キーが押下されたか否かを判定する。押下されたときはステップＳ６０４へ進み、押下されていないときはステップＳ６０５へ進む。
【００４９】
（Ｓ６０４）
制御部１２０は、以下の処理を実行する。画像信号処理部１４１は、その指示に基づき出力画像信号を出力する。
（１）画像信号処理部１４１が出力画像信号を画像信号出力部１７０に出力しているときは、これに代えて記憶部１５０が格納している画像データに対応したが画像信号を画像信号出力部１７０に出力するよう、画像信号処理部１４１に指示する。
（２）画像信号処理部１４１が記憶部１５０内の画像データに対応したが画像信号を出力しているときは、これに代えて入力画像信号に対応した出力画像信号を画像信号出力部１７０に出力するよう、画像信号処理部１４１に指示する。
【００５０】
（Ｓ６０５）
制御部１２０は、操作信号処理部１１２から出力される操作信号に基づき、入力切替キーが押下されたか否かを判定する。押下されたときはステップＳ６０６へ進み、押下されていないときはステップＳ６０８へ進む。
（Ｓ６０６）
制御部１２０は、フレームメモリ１２０が格納している画像データを取得して記憶部１５０に格納する。
（Ｓ６０７）
制御部１２０は、入力切替部１８０に切替を実行させる。
【００５１】
（Ｓ６０８）
画像信号処理部１４１は、画像信号入力部１３１〜１３３から有効な入力画像信号が供給されているか否かの検出結果を制御部１２０に通知する。
制御部１２０は、その通知に基づき、画像信号入力部１３１〜１３３から有効な入力画像信号が供給されているか否かを判定する。供給されていればステップＳ６１０へ進み、供給されていなければステップＳ６０９へ進む。
（Ｓ６０９）
制御部１２０は、現時点でフレームメモリ１４２が格納している画像データのうち有効な画像が記録されているものを取得し、記憶部１５０に格納する。
【００５２】
（Ｓ６１０）
制御部１２０は、画像信号処理部１４１を介して、フレームメモリ１４２内に格納されている画像データがその１フレーム前の画像データから変化しているか否かを判定する。変化していればステップＳ６１５へ進み、変化していなければステップＳ６１１へ進む。
（Ｓ６１１）
制御部１２０は、フレームメモリ１４２内に格納されている画像データが変化しないままで所定時間経過しているか否かを、ステップＳ６０２で起動したタイマーの経過時間を用いて判定する。
所定時間が経過していればステップＳ６１２へ進み、経過していなければステップＳ６１３へ進む。
【００５３】
（Ｓ６１２）
ステップＳ６０６と同様であるため、説明を省略する。
（Ｓ６１３）
制御部１２０は、操作信号処理部１１２から出力される操作信号に基づき、画面保存キーが押下されたか否かを判定する。押下されたときはステップＳ６１４へ進み、押下されていないときはステップＳ６１５へ進む。
（Ｓ６１４）
ステップＳ６０６と同様であるため、説明を省略する。
（Ｓ６１５）
制御部１２０は、画像表示装置１００の動作を終了するときは本動作フローを終了し、終了しないときはステップＳ６０２へ戻って同様の処理を繰り返す。
【００５４】
以上、本実施の形態２に係る画像表示装置１００の動作フロー例を説明した。
【００５５】
以上のように、本実施の形態２に係る画像表示装置１００では、実施の形態１で説明した動作に加えて、表示部１６０が表示している画像を記憶部１５０に格納する契機イベントを複数設けた。
これにより、契機イベント（１）〜（３）で説明したように、重要度が高いと思われる画像が自動的に記憶部１５０へ格納されるので、ユーザが画面保存キーを押下する手間が軽減され、ユーザビリティの良い画像表示装置１００を提供することができる。
【００５６】
実施の形態３．
図７は、本発明の実施の形態３に係る画像表示装置１００の機能ブロック図である。
本実施の形態３に係る画像表示装置１００は、画像を表示する機能部として、実施の形態１の図１で説明した液晶ディスプレイ等から構成される表示部１６０に代えて、画像の投射を行う投射部１９０を備えた。
その他の構成は実施の形態１と概ね同様であるため、本実施の形態３では差異点を中心に説明する。なお、実施の形態２で説明した構成における表示部１６０に代えて投射部１９０を設けることもできることを付言しておく。
【００５７】
投射部１９０は、光源、光変調素子、投射光学系などの画像投射に必要な構成を適宜備え、画像信号処理部１４１より出力画像信号を受け取り、その画像をスクリーン２００に投射するものである。光変調素子としては、液晶ライトバルブや微小ミラーアレイデバイス等が用いられる。
【００５８】
以上のように、本実施の形態３に係る画像表示装置１００は、実施の形態１〜２で説明した画像表示装置１００と同等の機能を備え、入力画像信号に対応した画像を投射するプロジェクタとして用いることができる。
即ち、画像表示の手法として、実施の形態１〜２で説明したような画面表示の他に、その画像を投射するというバリエーションを設けることができる。
【００５９】
また、実施の形態１〜２では、複数の画像表示装置１００を接続して画像表示システムを構築する例を示したが、本実施の形態３に係る画像表示装置１００を同様に接続して、複数のスクリーン２００に同一の画像を投射する画像表示システムを構築することもできる。
【００６０】
また、実施の形態１〜２では、操作パネル１１１が備える画面保存キーや画面出力キーを押下して表示画像を切り替える例を説明したが、例えばリモコン等の他の操作手段に同様の操作キーを設け、これを用いるように構成することもできる。
【図面の簡単な説明】
【００６１】
【図１】実施の形態１に係る画像表示装置１００の機能ブロック図である。
【図２】画像表示装置１００の外観図である。
【図３】実施の形態１に係る画像表示システムの構成例を示す図である。
【図４】画像表示システムを用いたプレゼンテーションの流れを示す図である。
【図５】実施の形態２に係る画像表示装置１００の機能ブロック図である。
【図６】実施の形態２に係る画像表示装置１００の動作フローである。
【図７】実施の形態３に係る画像表示装置１００の機能ブロック図である。
【符号の説明】
【００６２】
１００  画像表示装置、１１１  操作パネル、１１２  操作信号処理部、１２０  制御部、１３０  画像信号入力部、１４１  画像信号処理部、１４２  フレームメモリ、１５０  記憶部、１６０  表示部、１７０  画像信号出力部、１８０  入力切替部、１９０  投射部。
【図１】
2009251262.tif 000003
【図２】
2009251262.tif 000004
【図３】
2009251262.tif 000005
【図４】
2009251262.tif 000006
【図５】
2009251262.tif 000007
【図６】
2009251262.tif 000008
【図７】
2009251262.tif 000009